(57)【要約】      （修正有）【課題】資源枯渇の地球上で、電気の使用場所に接近する場所の所望する場所に低コストで容易に建設することができ、維持管理も容易な「腕錘付き曲軸発電装置」による入力と比べ効率的な回転力を得て発電する装置を提供する。【解決手段】自然資源からのエネルギー獲得が困難な世界的な一大関心事であるこの時期に、資源消費なしの機械力だけから、地球上どこにでも設置可能な「腕錘付き曲軸発電装置」の開発を官民上げて実行すべきである。【選択図】図２
2011163217.tif 000002
【特許請求の範囲】
【請求項１】
直交管の縦管内に腕錘付き曲軸の軸心を通し、それぞれPを同位置に、回転自在に支持させて、直交管の左右管内に台座突起を入れ遥動自在に台座にすえる。直交管にPを支点として連続的に駆動手段を経て入力した時、腕錘付き曲軸のPでの回転力が生じてこれを利用して発電する装置。なおこの時、直交管・腕錘付き曲軸・物体はそれぞれの中心重心をPとして上下左右で対称・平衡・釣り合い・又それらに近い状態であり、台座も突起も水平であることである。    
【請求項２】
「請求項１」の直交管・腕錘付き曲軸・物体はそれぞれ図1・2・4・5に示したものは一例でありその他を含めて同じ考案理念・機能の構造物などを設計製作販売すること。  
【請求項３】
「請求項１」と同じ考案理念・機能を模した玩具・学習研究教材・展示物などの製作販売をすること。
【発明の詳細な説明】
【技術分野】
【０００１】
本発明は腕錘付き曲軸から生じる回転力利用の発電装置に関するものである。
【背景技術】
【０００２】
発電方法としては、水力発電、火力発電、原子力発電等が既に知られている。
【０００３】
水力発電は高所にある水を落下させ、水の位置エネルギーを圧力及び運動エネルギーに変換することにより水車を回転させ、該水車に連結された発電機を回転させて発電するようにしたものである。
【０００４】
火力発電は、石炭、重油等の燃料をもちいてボイラーにより高温・高圧の蒸気を作り、該蒸気により蒸気タービンを作動させ、該蒸気タービンにより発電機を回転させて発電するようにしたものである。
【０００５】
原子力発電は、ウラン、プルトニュウム等の核燃料が原子炉内で核分裂する際に発生する原子核エネルギーを熱として取り出し、この熱により蒸気を発生させて蒸気をタービンを作動させ、蒸気タービンにより発電機を回転させて発電するようにしたものである。
【０００６】
又近年、たとえば特許公開２００９−２９１０５２号公報に示すように、太陽光により電力を生じさせる太陽光発電も知られている。
【０００７】
さらに例えば特許公開２００７−１５４７５９号公報にしめすように、風力により電力を生じさせる風力発電も知られている。
【発明の概要】
【発明が解決しようとする課題】
【０００８】
しかるに、上記従来の水力発電、火力発電、原子力発電には下記のごとき問題がある。
【課題を解決するための手段】
【０００９】
（イ）公害、環境破壊の問題を生ずる。
（ロ）発電所の建設費用、維持費費用等当が嵩む。
（ハ）発電所は場所限定され、大規模送電施設など膨大な費用が掛かる。
（ニ）発電所は電力の需要に応じて即時起動・停止ができないという問題がある。
【発明の効果】
【００１０】
一方、太陽光発電、風力発電は、自然の太陽光、風を利用ものであるため気象条件に左右され電力を需要に応じて安定的に、かつ、充分に供給することができないという問題がある。
【図面の簡単な説明】
【００１１】
【図１】方法の一例の正面図
【図２】方法の一例の側面図
【図３】現象把握と着眼点の図
【図４】地下に設置する時の図
【図５】壁懸垂天秤型の図
【発明を実施するための形態】
【００１２】
上記課題を解決するために、本発明方法を提供する。
【実施例１】
【００１３】
直交管の縦管内に腕錘付き曲軸の軸心を通し、それぞれPを同位置に、回転自在に支持させて、直交管の左右管内に台座突起を入れ遥動自在に台座にすえる。直交管にPを支点として連続的に駆動手段を経て入力した時、腕錘付き曲軸のPでの回転力が生じてこれを利用して発電する装置。なおこの時、直交管・腕錘付き曲軸・物体はそれぞれの中心重心をPとして上下左右で対称・平衡・釣り合い・又それらに近い状態であり、台座も突起も水平であることである。（請求項１）    
請求項１の直交管・腕錘付き曲軸・物体はそれぞれ図1・2・4・5に示したものは一例でありその他を含めて同じ考案理念・機能の構造物などを設計製作販売すること。（請求項２）  
請求項１と同じ考案理念・機能を模した玩具・学習研究教材・展示物などの製作販売をすること。（請求項３）
【００１４】
本発明による発電方法は、構造が簡単・建設容易低費用・維持管理容易低費用・建設場所どこでも・送電設備費用低減・発電の起動停止容易・瞬時発電可能である。
【発明を実施するための最良の形態】
【００１５】
図１、に示す事例について説明する。図は本発明の考案理念理解と簡単明瞭を本旨としたので、実際的でないことと図の稚拙さなど乞うお許し。
符号１に示すものは直交管で、同じ５本の管を１本の管を縦にしてその中央に他の４本を横に互いに管の軸を中心に直交熔着したもので、直交管は自身の中心重心をPとして上下左右対称で平衡である。符号２は軸心で、該縦の直交管内を自在回転でき、両端には符号３の腕錘を着けるための凸を有する。該腕錘は上下とも腕の片方は錘であり片方は該軸心との着付け用凹を有する。そして上下該腕錘の凹は該軸心の両方の凸にクランク状に直角又は回転に支障のない角度で着けられ固定する。符号４は腕錘付き曲軸で該軸心と該腕錘の合体であり、自身の中心重心をPとして上下左右対称で平衡である。回転支持の方法手段などは省略する。符号５は該直交管と該軸心と該腕錘との総体であり、総体状態で対称平衡でないときは直交管々内に詰め物あるいは長さなどで補正する。符号６は台座で、符号７突起を備え、水平面に置き該直交管の左右管内に突起を入れ水平に遥動自在に支持する。
駆動手段・伝動手段・機械保全手段・自在継ぎ手・基軸・三次元空間の図・腕錘の軌跡図・トラス長方体の図・発電機・原動機などは省略する。                                            
図２は符号がない。
【００１６】
図３は現象把握と着眼点の図で、直交管の中空の図に各符号を記載した、順次説明する。符号８は入力位置で、（イ）記載は暫定位置で、直交管の何処からでも駆動手段をへて入力可能。（ロ）想定出力との比較で入力は原則ゼロ、実際には初速・継続加速・抵抗・摩擦・歪みなどかなりあるが無視しここでは考えない、構造規模を大にするほど格差は拡大し比較にならない。符号９は出力位置で、（イ）位置特定ここしかないが多少のずれは許され、自在継ぎ手・基軸などで移動可能である。（ロ）出力概算目安は、1分間60回転の時、２π×腕錘Ｎ(ｍｔＮ）÷６０≒ｋｗｈとした。（ハ）出力方法は自在継ぎ手・基軸などで移動可能。符号１０は水平軸で、線で示す。（イ）該台座で該物体は水平に保たれ軸回転遥動し、平衡安定の基礎となる。（ロ）該直交管への入力は駆動手段をへてどこからでも可能。符号１１は垂直軸で、線で示す。（イ）該物体が水平なら当然垂直となる。垂直軸は水平軸を支点に傾斜反復を繰り返し平衡運動し、腕錘付き曲軸を回転させる。（ロ）水平・垂直軸は二次元平面で、垂直軸に軸回転させられる腕錘付き曲軸は三次元空間運動する。（ハ）垂直軸と水平軸は該直交管内にあり、この軸からの入力が駆動手段を経て何処でも可能。符号１２は点対称Ｐで、（イ）上下左右の平衡・対称を保つ原点であり、入力をゼロにする原点であり、出力の取り出しは可能。（ロ）上下の腕錘はこのＰを対称とし平衡で、入力に負担をかけない。（ハ）本発明申請に際し、請求項１の表現で悩み、点対称というのは数学用語で、物理現象説明には馴染まず、上下の平衡・空間の平衡・垂直で釣り合う状態の事などの例があまりなく本申請の通りとした。符号１３は腕錘落差と20度傾斜の図で、点線で示した。（イ）上下腕錘の落差はそれぞれプラスマイナスゼロだが、勢いは残り継続力となる。（ロ）該腕錘の軌跡はほぼ円回転で入力に負担をかけず該軸心に回転力を生じさせる。（ハ）該腕錘の軌跡<2π×腕×錘mtＮ>は該直交管の傾斜のそれより大きい。(ニ）符号１２の（イ）（ロ）符号１３の（イ）（ロ）（ハ）について、X力の特定は理由や説明ができず避けます、これは小生ヤボ小実験による確認・事実現象です。
【００１７】
図４は地下設置型である。物体の支持保全・平衡状態維持に密閉空間がよい。都市近郊に設置なので環境公害に配慮する。地上が有効利用できる。出力は1分間60回転で２π×1m×10ｔ×9.8÷６０≒10kwhで試験運転の後、1分間120回転で２π×2m×50ｔ×２×9.8÷６０≒200kwhを視野にいれる。図５は壁懸垂天秤型である。平衡の修正がたやすい、壁は両方に限らず片方でも可能、特殊地形地帯に利用できる。懐古的でおもしろい、公園などの遊具に一考、理念を生かし造型を変えれば展示物に、空間三次元体験になどイベントに。
【産業上の利用可能性】
【００１８】
CO2削減問題と省資源は現時点での世界と国家的最大問題であり、それが機械的構造物だけで解決できる最良の方法である。無秩序な研究開発などは社会全体と各業界を混乱させ、まだ未開発部分も多いので、この方法は特定時期まで国・公共団体などで責任を持って研究開発し、世の平安と安全を考慮して、世界・地球・人類に貢献するよう切望します。
【符号の説明】
【００１９】
１    直交管軸
２    軸心
３    腕錘
４    腕錘付き曲軸
５    物体
６    台座
７    突起
８    入力位置
９    出力位置
１０  水平軸
１１  垂直軸
１２  点対称P
１３  腕錘の落差と直交管の２０度傾斜
【図１】
2011163217.tif 000003
【図２】
2011163217.tif 000004
【図３】
2011163217.tif 000005
【図４】
2011163217.tif 000006
【図５】
2011163217.tif 000007